(57)【要約】フェムト基地局装置１ｂを設置する場合に、無線通信で生じることのある障害を抑制する。フェムト基地局装置１ｂは、自己と通信するフェムト端末装置２ｂに報知情報又はページング情報を送信するＲＦ部４と、自己の位置に関する情報であって他の無線通信装置が干渉を抑制する処理に用いる位置情報を、前記報知情報又は前記ページング情報に追加して格納する情報格納部３１とを備えている。
2011118242.tif 000002
【特許請求の範囲】
【請求項１】
フェムトセルを形成するフェムト基地局装置であって、
他の装置に報知情報又はページング情報を送信する送信部と、
自己に関する基地局情報を、前記報知情報又は前記ページング情報に追加して格納する情報格納部と、を備えていることを特徴とする基地局装置。
【請求項２】
前記基地局情報は、自己の位置に関する位置情報を含む請求項１に記載の基地局装置。
【請求項３】
他の装置に報知情報又はページング情報を送信する送信部と、
自己に関する基地局情報を、前記報知情報又は前記ページング情報に追加して格納する情報格納部と、を備え、
前記基地局情報は、自己と通信する端末装置への無線リソースの割り当てのためのスケジューリングアルゴリズム情報、自己と通信する端末装置への無線リソースの割り当て方式に関するＬｏｃａｌｉｚｅｄ／Ｄｉｓｔｒｉｂｕｔｅｄ情報、前記送信部による送信電力を示す情報、及び自己のアンテナ数についての情報の内の少なくとも一つの情報を含むことを特徴とする基地局装置。
【請求項４】
前記情報格納部が前記基地局情報を格納する領域は、自己の名前に関する情報が格納される領域である請求項１から３のいずれか一項に記載の基地局装置。
【請求項５】
前記情報格納部が前記基地局情報を格納する領域は、前記端末装置に与える情報を格納するために設定されている領域が拡張されて得られた領域である１から３のいずれか一項に記載の基地局装置。
【請求項６】
請求項１から５のいずれか一項に記載の基地局装置の前記送信部が送信した、前記基地局情報が格納されている前記報知情報又は前記ページング情報を受信する受信部と、
前記受信部が受信した前記報知情報又は前記ページング情報に格納されている前記基地局情報を用いて、干渉抑制処理を実行する信号処理部と、を備えていることを特徴とする受信側基地局装置。
【請求項７】
前記基地局情報は、前記送信側の基地局装置の位置に関する位置情報であり、
前記信号処理部は、前記干渉抑制処理として、指向性制御、送信電力制御、又は、自己の設置位置の良否を判定する置局判定制御を実行する請求項６に記載の受信側基地局装置。
【請求項８】
前記基地局情報が格納されている前記報知情報又は前記ページング情報から、当該基地局情報を分離する分離処理部を更に備えている請求項６又は７に記載の受信側基地局装置。
【請求項９】
請求項１から５のいずれか一項に記載の基地局装置のセルと異なるセルを形成する他の基地局装置と通信する端末装置であって、
請求項１から５のいずれか一項に記載の前記基地局装置の前記送信部が送信した、前記基地局情報が格納されている前記報知情報又は前記ページング情報を受信する受信部と、
前記受信部が受信した前記報知情報又は前記ページング情報に格納されている前記基地局情報を用いて、干渉抑制処理を実行する信号処理部と、を備えていることを特徴とする端末装置。
【請求項１０】
前記受信部が受信する前記報知情報又は前記ページング情報に格納される基地局情報は、当該報知情報又は前記ページング情報を送信する送信側の基地局装置の位置に関する基地局位置情報であり、
自己の位置に関する端末位置情報を取得する端末位置情報取得部を更に備え、
前記信号処理部は、前記干渉抑制処理として、前記基地局位置情報及び前記端末位置情報に基づいて、前記送信側の基地局装置と自己との位置関係を判定し、当該判定の結果に関する情報をユーザに報知する処理を実行する請求項９に記載の端末装置。
【請求項１１】
前記基地局情報が格納されている前記報知情報又は前記ページング情報から、当該基地局情報を分離する分離処理部を更に備えている請求項９又は１０に記載の端末装置。
【請求項１２】
基地局装置が、自己に関する基地局情報を報知情報又はページング情報に追加して格納するステップと、
前記基地局装置が、前記基地局情報が格納されている前記報知情報又は前記ページング情報を、他の装置に送信するステップと、
他のセルの無線通信装置が、前記基地局情報が格納されている前記報知情報又は前記ページング情報を受信して、干渉抑制処理を実行するステップと、を備えていることを特徴とする無線通信方法。
【発明の詳細な説明】
【技術分野】
【０００１】
本発明は、端末装置との間で無線通信を行う基地局装置、端末装置、前記基地局装置の信号を受信する受信側基地局装置、及び、無線通信方法に関する。
【背景技術】
【０００２】
複数の基地局装置を備えた無線通信システムにおいて、当該複数の基地局装置それぞれが設定する通信エリア（セル）が重複している場合、ある基地局装置から送信された信号が、近傍の他の基地局装置のセル内にある端末装置に届いてしまい、その端末装置にとって干渉信号となることがある。
このような干渉は、ビームフォーミングにより抑制できることがよく知られている。つまり、自セル内の端末装置（自己の端末装置ともいう）にはビームを向けつつも、他の基地局装置のセル内にある端末装置（他の端末装置ともいう）には、ヌルビームを向けるようにビームフォーミングを行うことで、自基地局装置からの信号（干渉信号）が他の端末装置に届きにくくなり、干渉が抑制される（なお、ビームフォーミングについては、非特許文献１参照）。
【先行技術文献】
【非特許文献】
【０００３】
【非特許文献１】菊間信良著、「アレーアンテナによる適応信号処理」、科学技術出版、１９９８年１１月２５日
【発明の概要】
【発明が解決しようとする課題】
【０００４】
ところで、上記無線通信システムでは、基地局装置として、例えば、数キロメートルの大きさのセル（マクロセル）を形成するマクロ基地局装置と、前記マクロセル内に設置され数十メートル程度の比較的小さなセル（フェムトセル）を形成するフェムト基地局装置とを備えたものがある。【０００５】
上記無線通信システムでは、フェムト基地局装置が形成するフェムトセルは、マクロセル内に形成されることがあり、そのほぼ全域がマクロセルと重複することがある。さらに、フェムト基地局装置は、ユーザによってマクロセル内で任意の場所に設置されることがあるため、例えば、マクロ基地局装置が送信する下り信号が、当該フェムト基地局装置に接続する端末装置に干渉を与えたり、マクロ基地局装置に接続する端末装置が送信する上り信号が、当該フェムト基地局装置に干渉を与えたりする場合がある。
そこで、例えばマクロ基地局装置が上記ビームフォーミングを利用することが考えられるが、どの方向にヌルビームを向ければよいか、当該マクロ基地局装置にとっては不明であり、好適に干渉を抑制することが困難である。【０００６】
このように、複数の基地局装置のセル同士が重複することにより、前記のような干渉等の無線通信における障害が発生することがあるため、基地局装置（フェムト基地局装置）を新たに設置する場合に、前記のような障害を抑制するための何らかの処理が必要となる。
そこで、本発明は、基地局装置を設置する場合に無線通信で生じる干渉を抑制することを目的とする。
【課題を解決するための手段】
【０００７】
（１）本発明の基地局装置は、フェムトセルを形成するフェムト基地局装置であって、他の装置に報知情報又はページング情報を送信する送信部と、自己に関する基地局情報を、前記報知情報又は前記ページング情報に追加して格納する情報格納部と、を備えていることを特徴とする。
本発明によれば、フェムト基地局装置が備えている送信部が他の装置に送信した報知情報又はページング情報を、受信すれば、当該報知情報又は当該ページング情報に格納されている基地局情報を取得することができ、当該基地局情報を取得した装置は、当該基地局情報を用いて処理を行うことができる。
特に、フェムト基地局装置は、ユーザによってマクロセル内で任意の場所に設置されることがある。このため、例えば、マクロ基地局装置の下り信号が、フェムト基地局装置に接続する端末装置に干渉を与えたり、マクロ基地局装置に接続する端末装置が送信する上り信号が、当該フェムト基地局装置に干渉を与えたりする場合があり、フェムト基地局装置を設置する場合に、自己又は周囲における無線通信に影響を与えることが考えられる。【０００８】
そこで、本発明のフェムト基地局装置によれば、フェムト基地局装置を設置する場合に、他の装置は、当該基地局装置に関する基地局情報を用いて処理を実行することができることから、例えば、無線通信で生じる干渉を抑えることが可能となる。【０００９】
（２）また、前記基地局情報は、自己の位置に関する位置情報を含むのが好ましい。この場合、フェムト基地局装置は、位置情報を格納した報知情報又はページング情報を送信する。そして、基地局情報を取得した装置は、フェムト基地局装置の位置が判り、この位置情報を用いてフェムト基地局装置の位置に応じた処理を実行することができる。【００１０】
（３）また、本発明の基地局装置は、他の装置に報知情報又はページング情報を送信する送信部と、自己に関する基地局情報を、前記報知情報又は前記ページング情報に追加して格納する情報格納部とを備え、前記基地局情報は、自己と通信する端末装置への無線リソースの割り当てのためのスケジューリングアルゴリズム情報、自己と通信する端末装置への無線リソースの割り当て方式に関するＬｏｃａｌｉｚｅｄ／Ｄｉｓｔｒｉｂｕｔｅｄ情報、前記送信部による送信電力を示す情報、及び自己のアンテナ数についての情報の内の少なくとも一つの情報を含むことを特徴とする。【００１１】
本発明によれば、基地局装置が備えている送信部が他の装置に送信した報知情報又はページング情報を、受信すれば、当該報知情報又は当該ページング情報に格納されている前記基地局情報を取得することができ、当該基地局情報を取得した装置は、当該基地局情報を用いて処理を行うことができる。【００１２】
（４）また、前記情報格納部が前記基地局情報を格納する領域は、自己の名前に関する情報が格納される領域とすることができ、この場合、自己の名前に関する情報に基地局情報が追加されて格納される。
（５）または、前記情報格納部が前記基地局情報を格納する領域は、前記端末装置に与える情報を格納するために設定されている領域が拡張されて得られた領域とすることができる。【００１３】
（６）以上の（１）から（５）の基地局装置は、基地局情報を格納した報知情報又はページング情報を送信する送信側の装置であるのに対し、本発明の受信側基地局装置は、前記（１）から（５）のいずれか一つに記載の基地局装置の前記送信部が送信した、前記基地局情報が格納されている前記報知情報又は前記ページング情報を受信する受信部と、前記受信部が受信した前記報知情報又は前記ページング情報に格納されている前記基地局情報を用いて、干渉抑制処理を実行する信号処理部とを備えていることを特徴とする。
本発明の受信側基地局装置によれば、受信部によって、基地局情報が格納されている報知情報又はページング情報を取得することができ、当該基地局情報を用いて干渉抑制処理を実行することができる。【００１４】
（７）また、この受信側基地局装置において、前記基地局情報は、前記送信側の基地局装置の位置に関する位置情報であり、前記信号処理部は、前記干渉抑制処理として、指向性制御、送信電力制御、又は、自己の設置位置の良否を判定する置局判定制御を実行することができる。
この場合、受信側基地局装置は、送信側の基地局装置の位置情報を用いて、干渉抑制処理を実行する。
そして、受信側基地局装置が、干渉抑制処理として前記指向性制御を実行する場合、例えば、送信側の基地局装置のセルに強い電波が送信されないような指向性を形成する制御を実行する。【００１５】
また、受信側基地局装置が、干渉抑制処理として前記送信電力制御を実行する場合、例えば、送信側の基地局装置の通信エリアに強い電波が送信されないように、送信電力を抑える制御を実行する。
また、受信側基地局装置が、干渉抑制処理として前記置局判定制御を実行する場合、例えば、自己（受信側）の位置と送信側の基地局装置の位置とが近すぎると、自己の位置は好ましくないと判定し、ユーザにその旨の情報を報知する。つまり、自己の位置が、送信側の基地局装置に近すぎると、両者間で干渉が発生しやすくなるが、前記置局判定制御を実行することによりこれを防止することが可能となる。【００１６】
（８）また、前記基地局情報が格納されている前記報知情報又は前記ページング情報から、当該基地局情報を分離する分離処理部を更に備えているのが好ましい。
この場合、報知情報又はページング情報に基地局情報が追加されて格納されているため、基地局情報を分けて取り出すことができ、基地局情報を処理に用いることが可能となる。【００１７】
（９）また、前記（６）から（８）のような受信側の基地局装置以外に、基地局情報が格納された報知情報又はページング情報を受信する他のセルの無線通信装置として、端末装置があり、本発明は、前記（１）から（５）のいずれか一項に記載の基地局装置のセルと異なるセルを形成する他の基地局装置と通信する端末装置であって、前記（１）から（５）のいずれか一項に記載の前記基地局装置の前記送信部が送信した、前記基地局情報が格納されている前記報知情報又は前記ページング情報を受信する受信部と、前記受信部が受信した前記報知情報又は前記ページング情報に格納されている前記基地局情報を用いて、干渉抑制処理を実行する信号処理部とを備えていることを特徴とする。
本発明の端末装置によれば、受信部によって、基地局情報が格納されている報知情報又はページング情報を取得することができ、当該基地局情報を用いて端末装置は、干渉抑制処理を行うことができる。【００１８】
（１０）また、この場合の端末装置において、前記受信部が受信する前記報知情報又は前記ページング情報に格納される基地局情報は、当該報知情報又は当該ページング情報を送信する送信側の基地局装置の位置に関する基地局位置情報であり、前記端末装置は、自己の位置に関する端末位置情報を取得する端末位置情報取得部を更に備え、前記端末装置の前記信号処理部は、前記通信を適切に行うための処理として、前記基地局位置情報及び前記端末位置情報に基づいて、前記送信側の基地局装置と自己との位置関係を判定し、当該判定の結果に関する情報をユーザに報知する処理を実行する構成とすることができる。
前記送信側の基地局装置が、自己（端末装置）と通信しない基地局装置（他局という）である場合、信号処理部が、例えば自己と他局との位置関係に関して双方が近づきすぎていると判定すると、判定の結果に関する情報として、例えば他局から離れることを促す旨の情報を報知する。これにより、自己と他局との間の干渉を抑制することが可能となる。
また、前記送信側の基地局装置が、自己（端末装置）と通信する基地局装置（自局という）である場合、信号処理部が、例えば自己と自局との位置関係に関して双方が離れすぎていると判定すると、判定の結果に関する情報として、例えば自局に近づくことを促す旨の情報を報知する。これにより、適切な通信を維持することが可能となる。【００１９】
（１１）また、前記基地局情報が格納されている前記報知情報又は前記ページング情報から、当該基地局情報を分離する分離処理部を更に備えているのが好ましい。
この場合、報知情報又はページング情報に基地局情報が追加されて格納されているため、基地局情報を分けて取り出すことができ、基地局情報を処理に用いることが可能となる。【００２０】
（１２）また、本発明の無線通信方法は、基地局装置が、自己に関する基地局情報を報知情報又はページング情報に追加して格納するステップと、前記基地局装置が、前記基地局情報が格納されている前記報知情報又は前記ページング情報を、他の装置に送信するステップと、他のセルの無線通信装置が、前記基地局情報が格納されている前記報知情報又は前記ページング情報を受信して、干渉抑制処理を実行するステップとを備えていることを特徴とする。
本発明によれば、基地局装置が、他の装置に送信した報知情報又はページング情報を、他のセルの無線通信装置が受信すれば、当該報知情報又は当該ページング情報に格納されている基地局情報を取得することができ、当該他のセルの無線通信装置は、当該基地局情報を用いて干渉抑制処理を行うことができる。
【図面の簡単な説明】
【００２１】
【図１】本発明の基地局装置を備えた無線通信システムの構成を示す概略図である。
【図２】ＬＴＥにおける上り及び下りそれぞれの無線フレームの構造を示す図である。
【図３】ＤＬフレームの詳細な構造を示す図である。
【図４】フェムト基地局装置（送信側の基地局装置）の構成を示すブロック図である。
【図５】送信側の基地局装置による送信処理のフローチャートである。
【図６】受信側の基地局装置の構成を示すブロック図である。
【図７】端末装置の構成を示すブロック図である。
【図８】スケジューリングアルゴリズム情報を用いた干渉抑制制御を示している。
【図９】Ｌｏｃａｌｉｚｅｄ／Ｄｉｓｔｒｉｂｕｔｅｄ情報を用いた干渉抑制制御を示している。
【図１０】位置情報を報知情報に追加する例を示す説明図である。
【図１１】新規に、システム情報ブロックを追加し、そのシステム情報ブロックに位置情報を格納した例を示す説明図である。
【図１２】基地局情報を格納してページング情報を送信するフェムト基地局装置と、このフェムト基地局装置とは別であって近くに設置されている受信側の他の基地局装置との処理を説明する説明図である
【図１３】ページング情報の拡張例を示す説明図である。
【発明を実施するための形態】
【００２２】
以下、本発明の好ましい実施形態について説明する。
〔１．通信システムの構成〕
図１は、本発明の基地局装置を備えた無線通信システムの構成を示す概略図である。
この無線通信システムは、複数の基地局装置１と、この基地局装置１との間で無線通信を行うことができる複数の端末装置２（移動端末）とを備えている。
複数の基地局装置１には、例えば数キロメートルの大きさの通信エリア（マクロセル）ＭＣを形成する複数のマクロ基地局装置１ａと、マクロセルＭＣ内に設置され数十メートル程度の比較的小さなフェムトセルＦＣを形成する複数のフェムト基地局装置１ｂとが含まれている。
【００２３】
マクロ基地局装置１ａは、自己のマクロセルＭＣ内にある端末装置との間で無線通信を行うことができる。
また、フェムト基地局装置１ｂは、例えば、屋内等、マクロ基地局装置１ａの無線波を受信し難い場所等に配置され、上記フェムトセルＦＣを形成する。フェムト基地局装置１ｂは、自己が形成するフェムトセルＦＣ内にある端末装置との間で無線通信が可能であり、本システムでは、マクロ基地局装置１ａの無線波が受信し難い場所等においても、その場所に比較的小さいフェムトセルＦＣを形成するフェムト基地局装置１ｂを設置することで、端末装置に対して十分なスループットでのサービスの提供を可能にする。
なお、以下の説明では、フェムト基地局装置１ｂに接続する端末装置２をフェムト端末装置２ｂともいい、マクロ基地局装置１ａに接続する端末装置２をマクロ端末装置２ａともいう。
【００２４】
本実施形態の無線通信システムは、例えば、ＬＴＥ（Ｌｏｎｇ  Ｔｅｒｍ  Ｅｖｏｌｕｔｉｏｎ）が適用される携帯電話用のシステムであり、基地局装置と端末装置との間において、ＬＴＥに準拠した通信が行われる。ＬＴＥでは、周波数分割複信（ＦＤＤ）方式を採用することができ、本実施形態では、ＦＤＤ方式を採用しているものとして説明する。なお、通信システムとしては、ＬＴＥに限られるものではなく、また、ＦＤＤ方式に限られるものでもなく、例えば、ＴＤＤ（時分割複信）方式であってもよい。
【００２５】
〔２．ＬＴＥのフレーム構造〕
本実施形態の通信システムが準拠するＬＴＥにおいて採用可能なＦＤＤ方式においては、上り信号（端末装置から基地局装置への送信信号）と、下り信号（基地局装置から端末装置への送信信号）との間で、互いに異なる使用周波数を割り当てることで、上り通信と下り通信とを同時に行う。
また、本実施形態においては、下りリンク側の無線通信にＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、上りリンク側の無線通信にＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）を採用している。
【００２６】
図２は、ＬＴＥにおける上り及び下りリンクそれぞれの無線フレームの構造を示す図である。ＬＴＥにおける下り側の基本フレームである無線フレーム（ＤＬフレーム）及び上り側の無線フレーム（ＵＬフレーム）は、その１無線フレーム分の時間長さがそれぞれ１０ミリ秒であり、＃０〜＃９まで１０個のサブフレームによって構成されている。これらＤＬフレームとＵＬフレームは、そのタイミングが揃えられた状態で、時間軸方向に配列される。
なお、ＤＬフレーム及びＵＬフレームのタイミングは、各基地局装置間でも揃えられており、いわゆる基地局間同期がとれた状態で、各セルでの通信が行われる。
【００２７】
図３は、ＤＬフレームの詳細な構造を示す図である。図中、縦軸方向は周波数を示しており、横軸方向は時間を示している。
ＤＬフレームを構成するサブフレームは、それぞれ２つのスロット（例えば、スロット＃０，＃１）により構成されている。また、１つのスロットは、７個（＃０〜＃６）のＯＦＤＭシンボルにより構成されている（Ｎｏｒｍａｌ  Ｃｙｃｌｉｃ  Ｐｒｅｆｉｘの場合）。
また、図中、データ伝送の上での無線リソース割り当ての最小単位であるリソースブロック（Ｒｅｓｏｕｒｃｅ  Ｂｌｏｃｋ）は、周波数軸方向に１２サブキャリア、時間軸方向に７ＯＦＤＭシンボル（１スロット）で定められる。従って、例えば、ＤＬフレームの周波数帯域幅が５ＭＨｚに設定されている場合、３００個のサブキャリアが配列されるので、リソースブロックは、周波数軸方向に２５個配置される。
【００２８】
図３に示すように、各サブフレームの先頭には、基地局装置が端末装置に対し、下り通信に必要な制御チャネルを割り当てるための伝送領域が確保されている。この伝送領域は、各サブフレームにおいて先頭側に位置するスロットのシンボル＃０〜＃２（最大で３シンボル）で割り当てられており、ユーザデータ等が格納されるＰＤＳＣＨ（ＰＤＳＣＨ：Ｐｈｙｓｉｃａｌ  Ｄｏｗｎｌｉｎｋ  Ｓｈａｒｅｄ  Ｃｈａｎｎｅｌ）及びＰＵＳＣＨ（ＰＤＳＣＨ：Ｐｈｙｓｉｃａｌ  Ｕｐｌｉｎｋ  Ｓｈａｒｅｄ  Ｃｈａｎｎｅｌ）の割当情報等を含む下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）や、ＰＤＣＣＨに関する情報を通知するための制御チャネル構成指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＵＳＣＨに対するハイブリッド自動再送要求（ＨＡＲＱ：Ｈｙｂｒｉｄ  Ａｕｔｏｍａｔｉｃ  Ｒｅｐｅａｔ  Ｒｅｑｕｅｓｔ）の受信成功通知（ＡＣＫ：Ａｃｋｎｏｗｌｅｄｇｅｍｅｎｔ）、受信失敗通知（ＮＡＣＫ：Ｎｅｇａｔｉｖｅ  Ａｃｋｎｏｗｌｅｄｇｅｍｅｎｔ）を送信するためのハイブリッドＡＲＱ指示チャネル（Ｐｈｙｓｉｃａｌ  Ｈｙｂｒｉｄ−ＡＲＱ  Ｉｎｄｉｃａｔｏｒ  Ｃｈａｎｎｅｌ）が割り当てられている。
【００２９】
上記ＰＤＣＣＨは、上記割当情報の他、上り送信電力制御情報や、下りのＣＱＩ（Ｃｈａｎｎｅｌ  Ｑｕａｌｉｔｙ  Ｉｎｄｉｃａｔｏｒ）についての報告の指示等に関する情報を含んでいる。
【００３０】
また、ＤＬフレームにおいて、１番目のサブフレーム＃０には、ブロードキャスト送信によってシステムの帯域幅等を端末装置に通知するための同報チャネル（ＰＢＣＨ：Ｐｈｙｓｉｃａｌ  Ｂｒｏａｄｃａｓｔ  Ｃｈａｎｎｅｌ）が割り当てられる。ＰＢＣＨは、時間軸方向において、１番目のサブフレーム＃０における後方側のスロットのシンボル＃０〜＃３の位置に４つのシンボル幅で配置され、周波数軸方向において、ＤＬフレームの帯域幅の中央の位置に６リソースブロック幅分（７２サブキャリア）で割り当てられる。このＰＢＣＨは、４フレームにわたって同一の情報を送信することで、４０ミリ秒ごとに更新されるように構成されている。
ＰＢＣＨには、通信帯域幅や、制御情報の構造等の主要なシステム情報が格納される。
また、ＰＢＣＨには、マスタ情報ブロック（ＭＩＢ：Ｍａｓｔｅｒ  Ｉｎｆｏｒｍａｔｉｏｎ  Ｂｌｏｃｋ）が格納されている。このマスタ情報ブロックには、ＰＤＳＣＨに格納され自己に接続する端末装置に対して送信されるシステム情報ブロック１（ＳＩＢ１：Ｓｙｓｔｅｍ  Ｉｎｆｏｒｍａｔｉｏｎ  Ｂｌｏｃｋ１）の割当位置に関する情報や、対応するＰＤＳＣＨの復調に必要な無線フレーム番号が含まれている。
【００３１】
また、ＤＬフレームを構成する１０個のサブフレームの内、１番目（＃０）及び６番目（＃５）のサブフレームそれぞれには、基地局装置やセルを識別するための信号である、第一同期信号及び第二同期信号（Ｐ−ＳＣＨ：Ｐｒｉｍａｒｙ  Ｓｙｎｃｈｒｏｎｉｚａｉｔｏｎ  Ｃｈａｎｎｅｌ，Ｓ−ＳＣＨ：Ｓｅｃｏｎｄａｒｙ  Ｓｙｎｃｈｒｏｎｉｚａｉｔｏｎ  Ｃｈａｎｎｅｌ）が割り当てられている。
【００３２】
Ｐ−ＳＣＨは、時間軸方向において、サブフレーム＃０及びサブフレーム＃５それぞれにおける先頭側のスロットの最後のＯＦＤＭシンボルであるシンボル＃６の位置に１つのシンボル幅で配置され、周波数軸方向において、ＤＬフレームの帯域幅の中央の位置に６リソースブロック幅分（７２サブキャリア）で配置されている。このＰ−ＳＣＨは、端末装置が、基地局装置のセルを分割した複数（３個）のセクタそれぞれを識別するための情報であり、３パターン定義されている。
Ｓ−ＳＣＨは、時間軸方向において、サブフレーム＃０及びサブフレーム＃５それぞれにおける先頭側のスロットの最後から２番目のＯＦＤＭシンボルであるシンボル＃５の位置に１つのシンボル幅で配置され、周波数軸方向において、ＤＬフレームの帯域幅の中央の位置に６リソースブロック幅分（７２サブキャリア）で配置されている。このＳ−ＳＣＨは、端末装置が、複数の基地局装置の通信エリア（セル）それぞれを識別するための情報であり、１６８パターン定義されている。
【００３３】
Ｐ−ＳＣＨ及びＳ−ＳＣＨは、相互に組み合わせることによって５０４種類（１６８×３）のパターンが定義されている。端末装置は、基地局装置から送信されたＰ−ＳＣＨ及びＳ−ＳＣＨを取得することで、自端末が、どの基地局装置のどのセクタに存在するかを認識することができる。
Ｐ−ＳＣＨ及びＳ−ＳＣＨがとり得る複数のパターンは、通信規格において予め定められており、各基地局装置及び各端末装置において既知である。つまり、Ｐ−ＳＣＨ及びＳ−ＳＣＨは、それぞれ、複数のパターンをとり得る既知信号である。
【００３４】
上述の各チャネルが割り当てられていない他の領域のリソースブロックは、ユーザデータ等を格納するための上述の下りリンク共有チャネル（ＰＤＳＣＨ）として用いられる。  このＰＤＳＣＨは、複数の端末装置で共有して用いられるエリアであり、ユーザデータの他、後に説明する基地局情報や、各端末装置個別の制御情報等も格納される。
格納される制御情報としては、上述のＳＩＢ１が挙げられる。つまり、ＰＤＳＣＨには、ＳＩＢ１用に割り当てられているチャネルがある。ＳＩＢ１には、システム情報ブロック（例えばＳＩＢ２〜ＳＩＢ１２）の割当位置に関する情報が含まれている。システム情報ブロックとしては、例えば、現在接続している基地局装置がマクロであるかフェムトであるかを示すフラグであるＳＩＢ２や、基地局装置の名前に関する情報を格納するＳＩＢ９等がある。
ＰＤＳＣＨに格納されるユーザデータの割り当てについては、各サブフレームの先頭に割り当てられているＰＤＣＣＨに格納される、下りの無線リソース割当に関する下り割当情報により、端末装置に通知される。この下り割当情報は、ＰＤＳＣＨごとの無線リソース割当を示す情報であり、端末装置は、この下り割当情報によって、そのサブフレーム内に自己に対するデータが格納されているか否かを判断できる。
【００３５】
〔３．基地局装置（フェムト基地局装置）の構成〕
図４は、フェムト基地局装置１ｂの構成を示すブロック図である。ここでは、フェムト基地局装置１ｂの構成について説明するが、マクロ基地局装置１ａの構成も、フェムト基地局装置１ｂと同様である。
フェムト基地局装置１ｂは、アンテナ３と、アンテナ３が接続された送受信部（ＲＦ部）４と、ＲＦ部４との間で授受が行われる送受信信号の信号処理を行う信号処理部５を備えている。そして、この信号処理部５は、後に説明するが、自己（フェムト基地局装置１ｂ）に関する基地局情報を、前記下り信号に含まれる報知情報に追加して格納する情報格納部３１を有している。また、この情報格納部３１は、後に説明するが、自己（フェムト基地局装置１ｂ）に関する基地局情報を、ページング情報の信号（下り信号）に追加して格納することもできる。
【００３６】
〔３．１  ＲＦ部〕
ＲＦ部４は、上り信号受信部１１、下り信号受信部１２、及び送信部１３を備えている。上り信号受信部１１は、端末装置２からの上り信号を受信するためのものであり、下り信号受信部１２は、マクロ基地局装置１ａ又は他のフェムト基地局装置１ｂからの下り信号を受信（傍受）するためのものである。送信部１３は、自己のフェムトセルＦＣへ下り信号を送信するためのものである。
【００３７】
また、ＲＦ部４は、サーキュレータ１４を備えている。このサーキュレータ１４は、アンテナ３からの受信信号を、上り信号受信部１１及び下り信号受信部１２側へ与え、送信部１３から出力された送信信号を、アンテナ３側へ与えるためのものである。
上り信号受信部１１は、端末装置２からの上り信号の周波数帯域のみを通過させるフィルタや、増幅器、Ａ／Ｄ変換器等を備えており、アンテナ３が受信する受信信号より端末装置２からの上り信号を取得し、これを増幅するとともにデジタル信号に変換し信号処理部５に出力する。このように、上り信号受信部１１は、端末装置２からの上り信号の受信に適合して構成された受信部であって、基地局装置として本来的に必要な受信部である。
【００３８】
送信部１３は、Ｄ／Ａ変換器や、フィルタ、増幅器等を備えており、信号処理部５からデジタル信号として出力される送信信号を受け取り、これをアナログ信号に変換するとともに増幅しアンテナ３から下り信号として送信させる機能を有している。
【００３９】
本実施形態のフェムト基地局装置１ｂは、更に下り信号受信部１２を備えている。この下り信号受信部１２は、自己以外の他の基地局装置１が送信した下り信号を受信（傍受）するためのものである。
この下り信号受信部１２は、他の基地局装置１からの下り信号の周波数帯域だけを通過させるフィルタや、増幅器、Ａ／Ｄ変換部等を備えており、アンテナ３が受信する受信信号より他の基地局装置１からの下り信号を取得し、これを増幅するとともにデジタル信号に変換し出力する。
下り信号受信部１２から出力された下り受信信号は、信号処理部５に与えられ、変復調部２１等によって処理される。
【００４０】
〔３．２  信号処理部〕
信号処理部５は、当該信号処理部５の上位レイヤと、ＲＦ部４との間で授受が行われる送受信信号の信号処理を行うための変復調部２１を備えている。変復調部２１は、上り信号受信部１１から与えられる上り信号を上りの受信情報として復調し前記上位レイヤに出力するとともに、前記上位レイヤから与えられる各種送信情報（報知情報、ページング情報）を変調する機能を有している。
そして、前記ＲＦ部２の送信部１３によって、自己と通信する端末装置２ｂに、当該端末装置２ｂにとって有用な前記送信情報（報知情報、ページング情報）が、下り信号として送信される。
【００４１】
変復調部２１は、前記上位レイヤから与えられる報知情報について、スケジューリング部２６の指令に基づいて、所定のデータ単位ごとに所定の方式で変調を行うとともに、変調されたデータについてリソースブロック単位ごとでＤＬフレームに対する割り当てを行い、自己の下り信号を生成する機能を有している。
また、変復調部２１は、下り信号受信部１２にて受信された他セルの下り信号を復調したり、上り信号受信部１１にて受信された他セルの上り信号を復調したりすることもできる。
【００４２】
信号処理部５は、自己（フェムト基地局装置１ｂ）に関する基地局情報を、前記報知情報及び／又は前記ページング情報に追加して格納する情報格納部３１を備えている。前記基地局情報は、他のセルの無線通信装置が干渉抑制処理に用いる情報であり、本実施形態では、自己（フェムト基地局装置１ｂ）の位置に関する位置情報である。このため、情報格納部３１は、フェムト基地局装置１ｂの位置情報を前記報知情報及び／又は前記ページング情報に格納する機能を有していることとなる。また、前記他のセルの無線通信装置とは、前記報知情報を受信する側の装置であり、＜１＞送信側のフェムト基地局装置１ｂが形成するフェムトセルＦＣとは異なるセルを形成するマクロ基地局装置１ａと、＜２＞送信側のフェムト基地局装置１ｂの近くに設置されるが別であるフェムト基地局装置１ｂと、がある。
【００４３】
信号処理部５は、位置情報を取得する位置情報取得部３２を更に備えている。本実施形態では、位置情報取得部３２は、自己（フェムト基地局装置１ｂ）に搭載されているＧＰＳ受信機である。自己（フェムト基地局装置１ｂ）の位置は、このＧＰＳ受信機が受信したＧＰＳ信号に基づいて求められる。
【００４４】
〔３．２．１  位置情報の格納について〕
図５は、フェムト基地局装置１ｂによる送信信号（報知情報）の送信処理のフローチャートである。なお、基地局情報が格納される情報が、ページング情報である場合についての処理は、後に説明する。
フェムト基地局装置１ｂが起動すると（ステップＳ１）、位置情報取得部（ＧＰＳ受信機）３２は、自己の位置を計測する（ステップＳ２）。そして、情報格納部３１は、この位置に関する位置情報を報知情報に格納する処理を行い（ステップＳ３）、変復調部２１はこの報知情報を変調し、前記ＲＦ部２の送信部１３によって、当該報知情報を下り信号として送信する（ステップＳ４）。
そして、自己（フェムト基地局装置１ｂ）のセル（フェムトセルＦＣ）とは異なる他のセルの無線通信装置（例えばマクロ基地局装置１ａ）が、前記位置情報が格納されている前記報知情報を受信して、干渉抑制処理を実行することができる。
【００４５】
また、ステップＳ４の後も、位置情報取得部３２は、所定の周期で自己の位置を計測し、位置（位置情報）の変化を判定する（ステップＳ５）。閾値よりも大きく変化している場合（ステップＳ５のＹｅｓ）、情報格納部３１は、変化した位置情報を報知情報に格納し直す処理を行う（ステップＳ３）。位置（位置情報）が変化しない場合（ステップＳ５のＮｏ）、位置の変化の判定を繰り返し実行する（ステップＳ５）。
【００４６】
ＧＰＳ受信機によって取得されたフェムト基地局装置１ｂの位置情報は、当該フェムト基地局装置１ｂが送信する報知情報の内の一部と共に、いずれかのリソースブロックに格納される。
この位置情報が格納される格納領域は、例えば、前記〔２．ＬＴＥのフレーム構造〕で説明した、基地局装置（フェムト基地局装置１ｂ）の名前に関する情報が格納される領域であるＳＩＢ９とすることができる。
ＬＴＥでは、自己の名前を報知する領域としてＳＩＢ９が確保されている（４８バイト）。このＳＩＢ９は、自己の名前を自由に設定して格納することができる領域であるため、このＳＩＢ９に「自己の名前の情報＋自己の位置情報」が格納される。位置情報としては、緯度及び経度である。
【００４７】
具体的に説明すると、ＧＰＳ受信機によって自己の位置情報として例えば、経度＝＋１３５度４１分３５．６００秒、緯度＝＋３５度００分３５．６００秒が取得されたとする。この場合、情報格納部３１は、この位置情報を所定の変換アルゴリズムにしたがって、次のように所定の様式に変換する。
【００４８】
経度に関して、ミリ秒の単位で表した数値に変換する。つまり、以下の演算を行う。
（経度）＝＋１３５度４１分３５．６００秒
＝６００（ミリ秒）＋１０００×３５（秒）＋１０００×６０×４１（分）＋１０００×６０×６０×１３５（度）
＝４８８４９５６００（ミリ秒）
さらに、情報格納部３１は、この値（４８８４９５６００）をＵＴＦ−８に変換する。
４８８４９５６００＝０ｘ１ｄ１ｄｄ９ｆ０
さらに、情報格納部３１は、これを［０−９，Ａ−Ｚ，ａ−ｚ、＋２記号］の６ビットで符号化する処理を行う。
０ｘ１ｄ１ｄｄ９ｆ０＝０Ｔ７Ｔｄｍ
【００４９】
情報格納部３１は、緯度についても同様の変換アルゴリズムにより変換する。
（緯度）＝＋３５度００分３５．６００秒
＝１２６０３５６００（ミリ秒）
１２６０３５６００＝０ｘ１ｄ１ｄｄ９ｆ０
０ｘ１ｄ１ｄｄ９ｆ０＝０７ＷｏＱＧ
【００５０】
フェムト基地局装置１ｂの自己の名前を「ＭｙＦｅｍｔｏ」とすると、ＳＩＢ９には本来「ＭｙＦｅｍｔｏ」が格納されるはずであるが、情報格納部３１は、前記符号化した位置情報を追加的に格納して「ＭｙＦｅｍｔｏ＿０７ＷｏＱＧ＿０Ｔ７Ｔｄｍ」と書き換える。
なお、前記ＧＰＳ受信部による測地系（ｇｅｏ）及び測位レベル（ｘ−ａｃｃ）についての情報も追加的に格納してもよい。この場合、ＳＩＢ９は「（名前）＿（緯度）＿（経度）＿（ｇｅｏ）＿（ｘ−ａｃｃ）」が格納される。測地系については、世界測地系の場合、ｇｅｏ＝ｗｇｓ８４となる。測位レベルについては、誤差範囲が「水平誤差＜５０ｍ」である場合は「３」であり、誤差範囲が「５０ｍ≦水平誤差＜３００ｍ」である場合は「２」であり、誤差範囲が「３００ｍ≦水平誤差」である場合は「１」である。
【００５１】
上記の説明では、位置情報の格納場所として、ＳＩＢ９の「自己の名前の情報」をそのまま使用し、「自己の名前の情報」の後ろに「自己の位置情報」を付加する場合、つまり、情報格納部３１が、符号化した位置情報を追加的に格納して「ＭｙＦｅｍｔｏ＿０７ＷｏＱＧ＿０Ｔ７Ｔｄｍ」と書き換える場合を説明した。つまり、これは、既に定義されている情報要素（Ｉｎｆｏｒｍａｔｉｏｎ  Ｅｌｅｍｅｎｔ）の使用方法を変更する場合である。
基地局情報（位置情報）の追加は、これ以外の方法であってもよく、例えば、既に定義されている情報要素を変更しないで、新規に情報要素を作成して増やしてもよい。この場合、基地局情報（位置情報）が新規に増える情報であり、前記の経度及び緯度の場合、図１０に示しているように、情報格納部３１は、符号化した位置情報「０７ＷｏＱＧ＿０Ｔ７Ｔｄｍ」を追加的に格納する。
【００５２】
また、情報格納部３１が、フェムト基地局装置１ｂの位置情報を格納する領域としては、前記ＳＩＢ９以外であってもよく、位置情報を自由に格納することが許容されている格納領域とすることができる。接続する端末装置２に与える情報を格納するために、通常はＳＩＢ２〜ＳＩＢ１１が設定されている場合、ＳＩＢ１２まで領域を拡張し、このＳＩＢ１２に位置情報を格納してもよい。図１１は、新規に、システム情報ブロック（システム情報ブロックの種別）を追加し（ＳＩＢ１４）、そのシステム情報ブロックに位置情報を格納した例を示している。
【００５３】
〔３．２．２  位置情報の格納について〕
基地局情報が格納される情報が、ページング情報である場合についての処理を説明する。図１２は、基地局情報を格納してページング情報を送信するフェムト基地局装置１ｂ（送信側ＢＳ１ｂと呼ぶ）と、このフェムト基地局装置１ｂとは別であって近くに設置されている受信側の他の基地局装置（受信側ＢＳ１と呼ぶ）との処理を説明する説明図である。
【００５４】
送信側ＢＳ１ｂが起動すると（ステップＳ４１）、位置情報取得部（ＧＰＳ受信機）３２は、自己の位置を計測する（ステップＳ４２）。そして、変復調部２１は報知情報を変調し、前記ＲＦ部２の送信部１３によって、当該報知情報を下り信号として送信する（ステップＳ４３）。
受信側ＢＳ１では、前記報知情報を受信可能であり、送信側ＢＳ１ｂを検出することができる（ステップ５１）。そして、受信側ＢＳ１は、ページング情報の待ち受けを開始する（ステップＳ５２）。
【００５５】
送信側ＢＳ１ｂにおいて、ステップＳ４３の後、情報格納部３１は、ステップＳ４２で計測して得た位置に関する位置情報を、ページング情報に格納する処理を行い、変復調部２１はこのページング情報を変調し、前記ＲＦ部２の送信部１３によって、当該ページング情報を下り信号として送信する（ステップＳ４４）。
なお、位置情報は、ページング情報を格納するために設定されている領域が拡張されて得られた領域に、格納される。図１３は、ページング情報の拡張例を示す説明図であり、拡張された情報要素に位置情報が格納される。例えば、上記の場合と同様に、符号化した位置情報「０７ＷｏＱＧ＿０Ｔ７Ｔｄｍ」が格納される。
【００５６】
送信側ＢＳ１ｂが、位置情報を格納したページング情報を送信すると（前記ステップＳ４４）、受信側ＢＳ１では、このページング情報を受信し（ステップＳ５３）、このページング情報に格納されている位置情報を取得することができ（ステップＳ５４）、干渉抑制処理を実行することができる（ステップＳ５５）。
【００５７】
また、送信側ＢＳ１ｂにおいて、ステップＳ４４の後も、位置情報取得部３２は、前記の場合と同様に、所定の周期で自己の位置を計測し、位置の変化の判定を繰り返し実行してもよい。
【００５８】
なお、前記〔３．２．１  位置情報の格納について〕〔３．２．２  位置情報の格納について〕では、報知情報に位置情報を格納する場合と、ページング情報に位置情報を格納する場合との、それぞれの場合を説明したが、報知情報とページング情報との双方に位置情報を格納し、それぞれを送信してもよい。なお、本実施形態では、図１２に示しているように、受信側ＢＳ１において、ページング情報を受信するためには、ページングチャネルによる待ち受けが必要であることから、待ち受け可能なタイミングは、報知情報の受信後となる。このため、報知情報とページング情報との双方に位置情報が格納されている場合であっても、実際には、報知情報に格納されている位置情報が、干渉抑制処理のために、優先される可能性が高い。
【００５９】
以上のとおり、フェムト基地局装置１ｂを、位置情報が格納された報知情報及び／又はページング情報を送信する送信側の基地局装置として説明した。この報知情報及び／又はページング情報を受信することができる他のセルの基地局装置として、＜１＞マクロ基地局装置１ａと、＜２＞前記送信側のフェムト基地局装置１ｂとは別であって近くに設置されるフェムト基地局装置１ｂとがある。ここでは、前記送信側の基地局装置を送信側ＢＳ１ｂと呼び、受信側の他のセルの基地局装置を受信側ＢＳ１と呼んで説明する。
【００６０】
〔４．受信側基地局装置（受信側ＢＳ１）の構成〕
図６は、受信側ＢＳ１の構成を示すブロック図である。
受信側ＢＳ１は、アンテナ１０３と、アンテナ１０３が接続された送受信部（ＲＦ部）１０４と、ＲＦ部１０４との間で授受が行われる送受信信号の信号処理を行う信号処理部１０５とを備えている。
【００６１】
アンテナ１０３及び送受信部（ＲＦ部）１０４は、フェムト基地局装置１ｂと同じであり、特に、ＲＦ部１０４の下り信号受信部１１２は、位置情報が格納された前記報知情報を送信する前記フェムト基地局装置１ｂが送信した、下り信号を受信する。
信号処理部１０５も、前記送信側ＢＳ１ｂと同じであるが、前記ＲＦ部１０４が受信した前記報知情報に格納されている位置情報を用いて、通信を適切に行うための処理として、干渉を抑制する処理を実行する機能を備えている。
【００６２】
信号処理部１０５が実行する干渉抑制の処理は、送信側ＢＳ１ｂのフェムトセルＦＣでの干渉又は自己（受信側ＢＳ１）のセルでの干渉を抑制する処理となる。ここでは、主に、送信側ＢＳ１ｂ及び当該送信側ＢＳ１ｂと通信する端末装置２ｂの内の一方又は双方における干渉を抑制する処理を実行する場合を説明する。
このために、信号処理部１０５は、前記干渉を抑制する処理として、指向性制御、送信電力制御、又は、自己の設置位置の良否を判定する置局判定制御を実行する。これら制御については、後に説明する。
【００６３】
信号処理部１０５は、前記位置情報を用いて干渉抑制処理を実行するために、送信側ＢＳ１の位置情報が格納されている報知情報から、当該位置情報を分離する分離処理部１３５を更に備えている。
送信側ＢＳ１ｂは報知情報を送信しており、受信側ＢＳ１のＲＦ部１０４の下り信号受信部１１２が、この報知情報を傍受する。受信側ＢＳ１の変復調部１２１は、この下り信号を復調することで、位置情報が格納されている前記ＳＩＢ９の情報を取得することができる。
つまり、受信した下り信号の前記ＰＢＣＨ（図３）に格納されている前記マスタ情報ブロックには、ＳＩＢ１の割当位置に関する情報が含まれており、このＳＩＢ１には、ＳＩＢ２〜ＳＩＢ１２のリソースブロック割り当て位置に関する情報が含まれている。このため、分離処理部３５は、ＳＩＢ９に格納されている、フェムト基地局装置１ｂについての「名前の情報＋位置情報」から、位置情報のみを分離して取り出すことができる。
つまり、ＳＩＢ９に格納されている「ＭｙＦｅｍｔｏ＿０７ＷｏＱＧ＿０Ｔ７Ｔｄｍ」から「０７ＷｏＱＧ＿０Ｔ７Ｔｄｍ」を取り出すことができる。
【００６４】
そして、分離処理部１３５は、前記情報格納部３１（図４）による前記変換アルゴリズムと反対の手順による変換アルゴリズムを用いて、送信側ＢＳ１ｂの位置情報を、緯度及び経度の情報として復元する。つまり、分離処理部１３５によって、経度＝＋１３５度４１分３５．６００秒、緯度＋３５．００．３５．６００が復元される。
【００６５】
このようにして、受信側ＢＳ１は、傍受した下り信号から、フェムト基地局装置１ｂの位置情報を分けて取り出すことができるので、信号処理部１０５は、この位置情報を干渉抑制処理に用いることが可能となる。
【００６６】
また、報知情報に位置情報が格納されている場合を説明したが、ページング情報に位置情報が格納されている場合も、受信側基地局装置（受信側ＢＳ１）の構成は、図６と同じである。
すなわち、ＲＦ部１０４の下り信号受信部１１２は、位置情報が格納されたページング情報を送信するフェムト基地局装置１ｂが送信した、下り信号を受信する。
信号処理部１０５は、前記ＲＦ部１０４が受信した前記ページング情報に格納されている位置情報を用いて、通信を適切に行うための処理として、干渉を抑制する処理を実行する機能を備えている。また、信号処理部１０５は、前記位置情報を用いて干渉抑制処理を実行するために、送信側ＢＳ１の位置情報が格納されているページング情報から、当該位置情報を分離する分離処理部１３５を更に備えている。
【００６７】
送信側ＢＳ１ｂはページング情報を送信しており、受信側ＢＳ１のＲＦ部１０４の下り信号受信部１１２が、このページング情報を傍受する。受信側ＢＳ１の変復調部１２１は、この下り信号を復調することで、位置情報が格納されている前記ページング情報を取得することができる。分離処理部３５は、このページング情報から、位置情報のみを分離して取り出すことができる。
そして、分離処理部１３５は、前記情報格納部３１（図４）による前記変換アルゴリズムと反対の手順による変換アルゴリズムを用いて、送信側ＢＳ１ｂの位置情報を、緯度及び経度の情報として復元する。
【００６８】
〔４．１  指向性制御について〕
干渉抑制処理として指向性制御を行う場合について説明する。
受信側ＢＳ１の信号処理部１０５は、自己（受信側ＢＳ１）の位置に関する位置情報を取得する位置情報取得部１３２を備えている。位置情報取得部１３２は、ＧＰＳ受信機であり、このＧＰＳ受信機によって受信したＧＰＳ信号に基づいて、自己の位置が算出される。
また、受信側ＢＳ１のアンテナ１０３は、複数のアンテナがアレイ状に並べられてアダプティブアレイアンテナとして構成されている。そして、信号処理部１０５は、指向性制御機能を有する干渉抑制処理部１３６を備えており、この干渉抑制処理部１３６は、前記各アンテナの重み付けをアダプティブ制御して、アンテナ１０３の指向性を電気的に変えることができる。
【００６９】
信号処理部１０５は、自己（受信側ＢＳ１）の位置情報の他に、前記分離処理部１３５によって送信側ＢＳ１ｂの位置情報を取得していることから、干渉抑制処理部１３６は、当該フェムト基地局装置１ｂの方向、つまり、フェムトセルＦＣの方向にヌルビームを向けるようにビームフォーミングを行う。
これにより、受信側ＢＳ１の通信エリア内の端末装置２ａにはビームを向けつつも、送信側ＢＳ１ｂのフェムトセルＦＣ内にある端末装置２ｂには、受信側ＢＳ１からの信号（干渉信号）が届きにくくなり、当該端末装置２ｂにおける干渉が抑制される。
【００７０】
また、これと同様に、干渉抑制処理部１３６は、送信側ＢＳ１ｂと接続している端末装置２ｂからの信号を、受信側ＢＳ１は受信し難くすることもできる。つまり、受信側ＢＳ１及び当該受信側ＢＳ１と通信する端末装置の内の一方又は双方における干渉を抑制する処理が実行される。
【００７１】
〔４．３  送信電力制御について〕
干渉抑制処理として送信電力制御を行う場合について説明する。
この場合も、受信側ＢＳ１の信号処理部１０５は、自己（受信側ＢＳ１）の位置に関する位置情報を取得する位置情報取得部（ＧＰＳ受信機）１３２を備えている。また、信号処理部１０５は、前記分離処理部１３５によって送信側ＢＳ１ｂの位置情報を取得している。
自己とフェムト基地局装置１ｂとの位置関係（距離）が遠ければ、それぞれにおいて干渉の可能性は低いが、自己とフェムト基地局装置１ｂとの位置関係（距離）が近ければ、それぞれにおいて干渉の可能性が高まる。
【００７２】
そこで、信号処理部１０５は、電力制御機能を有する干渉抑制処理部１３６を備えている。この干渉抑制処理部１３６は、自己と送信側ＢＳ１ｂとの位置関係（距離）を求める機能と、送信する下り信号の送信電力を設定する電力制御機能とを有している。
前記のとおり、干渉抑制処理部１３６では、自己とフェムト基地局装置１ｂとの間の距離が求められることから、その距離と閾値とが比較され、当該距離が閾値未満である場合、下り信号の送信電力（の上限値）を抑えるように制御する。この制御によれば、自己の下り信号が、フェムト基地局装置１ｂに接続している端末装置２ｂにおいて干渉信号となることを回避させる。
【００７３】
また、干渉抑制処理部１３６は、信号制御部１０５が下り信号を生成する際、上り送信電力制御情報を生成する機能を有している。上り送信電力制御情報は、自己に接続する端末装置が送信する上り信号の送信電力を当該端末装置によって調整させるための指令信号である。この情報を、下り信号（ＰＤＣＣＨ）に格納し自己に接続する端末装置２ａに送信することで、当該端末装置２は送信電力を調整する（上限値を抑える）ことが可能となる。
つまり、干渉抑制処理部１３６は、自己の位置と送信側ＢＳ１ｂの位置とに基づいて、両者間の距離を求め、当該距離と閾値とを比較し、その距離が閾値未満であると判定した場合、上り信号の送信電力（の上限値）を抑えるための上り送信電力制御情報を生成する。この上り送信電力制御情報は、受信側ＢＳ１からの下り信号格納されることで、当該受信側ＢＳ１と接続する端末装置２は、この上り送信電力制御情報を取得する。
すると、この端末装置２は、送信する上り信号の送信電力を抑える制御を行う。この結果、端末装置２の上り信号が、送信側ＢＳ１ｂにおいて干渉信号となることを回避させる。
このように、受信側ＢＳ１が、干渉を抑制する処理として、自己及び／又は自己と接続する端末装置の電力制御を実行することにより、送信側ＢＳ１ｂのフェムトセルＦＣに強い電波が送信されず、干渉を抑制することが可能となる。
【００７４】
〔４．３  置局判定制御について〕
干渉抑制処理として置局判定制御を行う場合について説明する。
ここでは、受信側ＢＳ１を、送信側ＢＳ１ｂ（第一のフェムト基地局装置）とは別である第二のフェムト基地局装置１ｂとして説明する。この第二のフェムト基地局装置１ｂが置局判定制御を行う。第二のフェムト基地局装置１ｂは、図４に説明した構成と同じである。
【００７５】
第二のフェムト基地局装置１ｂは、自己の位置に関する位置情報を取得する位置情報取得部（ＧＰＳ受信機）３２を備えている。そして、第二のフェムト基地局装置１ｂの信号処理部５は、報知情報及び／又はページング情報を送信している第一のフェムト基地局装置１ｂの位置情報を取得している。
信号処理部１０５は、置局判定制御機能を有する干渉抑制処理部３６を備えている。この干渉抑制処理部３６は、干渉を抑制する処理として自己の設置位置の良否を判定する。つまり、自己と他の基地局装置との位置関係（距離）が遠ければ、それぞれにおいて干渉の可能性は低いが、自己と他の基地局装置との位置関係（距離）が近ければ、それぞれにおいて干渉の可能性が高まる。
【００７６】
そこで、干渉抑制処理部３６は、自己の位置と、送信側である第一のフェムト基地局装置１ｂの位置とに基づいて、両者間の距離を求め、当該距離と閾値とを比較し、その距離が閾値未満である場合、自己の位置と第一のフェムト基地局装置１ｂの位置とが近すぎることを意味しているため、自己の位置は好ましくないと判定し、ユーザにその旨の情報を報知する。例えば、警告としてＬＥＤを発光させる。これにより、ユーザは、第二のフェムト基地局装置１ｂの設置位置を変更することができる。
そして、設置位置が変更された後に、再び、干渉抑制処理部３６は、自己とフェムト基地局装置１ｂとの距離を前記閾値と比較し、その距離が閾値以上であれば、自己の位置とフェムト基地局装置１ｂの位置とが離れていることを意味しているため、自己の位置は好ましいと判定し、ユーザにその旨の情報を報知する。これにより、ユーザは、第二のフェムト基地局装置１ｂの設置位置を確定することができる。
このようにして、置局判定制御を実行することにより、新たなフェムト基地局装置１ｂを設置することによってそれぞれのセルにおいて発生することがある干渉を抑制することが可能となる。
【００７７】
〔５．端末装置における干渉抑制処理〕
前記実施形態では、位置情報を送信するフェムト基地局装置１ｂの当該位置情報を用いて、通信を適切に行うための処理として干渉の抑制処理を実行する無線通信装置は、基地局装置（受信側ＢＳ１）である場合を説明した。しかし、端末装置２が自律的に干渉を抑制する処理を実行してもよい。
【００７８】
図７は、端末装置２の構成を示すブロック図である。なお、マクロ端末装置２ａ及びフェムト端末装置２ｂは、接続先がマクロ基地局装置１ａであるかフェムト基地局装置１ｂであるかの違いであり、その構成は同一である。
端末装置２は、アンテナ４１と、アンテナ４１が接続され基地局装置からの下り信号や、送信しようとする上り信号の送受信を行う送受信部４２と、キーボードやモニタ等からなり送受信データの入出力を行うための入出力部４３と、送受信部４２及び入出力部４３を制御するとともに、変復調等の基地局装置との間で通信を行うために必要な処理を行う信号処理部４４とを備えている。
送受信部４２は、フェムト基地局装置１ｂが送信した前記位置情報が格納されている報知情報及び／又はページング情報を受信する受信部としての機能を備えている。
【００７９】
信号処理部４４は、自己が接続する基地局装置１からの下り信号に含まれる各種の制御情報を受け取り、この制御情報にしたがって基地局装置１との間で通信を行う機能を有している。前記制御情報としては、当該端末装置２の上り信号に割り当てられた周波数帯域を示す上り割当情報や、送信電力に関する情報、変調方式に関する情報がある。
つまり、基地局装置１は、自己に接続する端末装置２に各種制御情報を送信することで、当該端末装置２の上り信号に関する制御を行う。
また、信号処理部４４は、送受信部４２が受信した下り信号に含まれている報知情報及び／又はページング情報に格納された位置情報を用いて、通信を適切に行うための処理として干渉抑制処理を実行する。
【００８０】
信号処理部４４は、前記位置情報を用いて干渉を抑制する処理を実行するために、送信側のフェムト基地局装置１ｂの位置情報が格納されている前記報知情報及び／又は前記ページング情報から、当該位置情報を分離する分離処理部４５を更に備えている。
この分離処理部４５は、受信側ＢＳ１（図６）の分離処理部１３５と同じ構成であり、下り信号のＳＩＢ９に格納されている「ＭｙＦｅｍｔｏ＿０７ＷｏＱＧ＿０Ｔ７Ｔｄｍ」から（又はページング情報から）位置情報として「０７ＷｏＱＧ＿０Ｔ７Ｔｄｍ」を抜き出し、前記フェムト基地局装置１ｂの位置情報を、緯度及び経度の情報として復元する。
【００８１】
ここで説明する端末装置は、マクロ基地局装置１ａと接続するマクロ端末装置２ａとして説明する。この場合に発生する干渉は、次のとおりである。上記無線通信システムにおいて、マクロ基地局装置１ａの設置後、フェムト基地局装置１ｂは、当該マクロ基地局装置１ａが形成するマクロセルＭＣ内に設置され、フェムトセルＦＣをマクロセルＭＣ内に形成する。このため、設置されたフェムト基地局装置１ｂは、自己のフェムトセル内にあるフェムト端末装置２ｂへ送信する下り信号によって、マクロ端末装置２ａに干渉を与えるおそれがある。
【００８２】
そこで、マクロ端末装置２ａの信号処理部４４は、このような干渉を抑える干渉抑制処理部４７を備えている。また、このマクロ端末装置２ａは、自己の位置に関する位置情報を取得する位置情報取得部４６を備えている。位置情報取得部４６は、ＧＰＳ受信機であり、このＧＰＳ受信機によって受信したＧＰＳ信号に基づいて、自己の位置が算出される。
そして、信号処理部４４は、前記分離処理部４５によって報知情報及び／又は前記ページング情報を送信しているフェムト基地局装置１ｂの位置情報を取得している。このため、干渉抑制処理部４７は、自己とフェムト基地局装置１ｂとの位置関係（距離）を求めることができる。
自己とフェムト基地局装置１ｂとの位置関係（距離）が遠ければ、干渉の可能性は低いが、自己とフェムト基地局装置１ｂとの位置関係（距離）が近ければ、干渉の可能性が高まる。
【００８３】
そこで、干渉抑制処理部４７は、干渉抑制処理として、送信側のフェムト基地局装置１ｂの位置情報及び自己（マクロ端末装置２ａ）の位置情報に基づいて、送信側のフェムト基地局装置１ｂと自己（マクロ端末装置２ａ）との位置関係を判定し、当該判定の結果に関する情報を、入出力部４３（例えばモニタ）によって、ユーザに報知する処理を実行する。
例えば、送信側のフェムト基地局装置１ｂは、自己（マクロ端末装置２ａ）と通信しない基地局装置（他局と呼ぶ）であるため、干渉抑制処理部４７が、自己と他局との位置関係（距離）を求め、これを閾値と比較し、閾値以下であると判定すると、この場合、双方が近づきすぎていることを意味するため、判定の結果に関する情報として、例えば他局から離れることを促す旨の文字等による情報を、入出力部４３（例えばモニタ）によって、ユーザに報知する。これにより、マクロ端末装置２ａを所有しているユーザは、他局から離れることができ、自己と他局との間の干渉を抑制することが可能となる。
【００８４】
〔６．  その他の基地局情報について〕
前記各実施形態では、報知情報及びページング情報に格納する基地局情報を、位置情報として説明した。しかし、本発明では、基地局情報は位置情報以外であってもよく、自己でしか知り得ない情報であって、しかも、リアルタイムで変化しない情報とすることができる。
例えば、基地局情報は、位置情報、自己と通信する端末装置への無線リソースの割り当てのためのスケジューリングアルゴリズム情報、Ｌｏｃａｌｉｚｅｄ／Ｄｉｓｔｒｉｂｕｔｅｄ情報、自己の送信部による送信電力を示す情報、及び自己のアンテナ数についての情報の内の少なくとも一つの情報を含むことができる。
【００８５】
基地局情報が、前記スケジューリングアルゴリズム情報である場合について説明する。
スケジューリングアルゴリズムとしては、Ｒｏｕｎｄ  Ｒｏｂｉｎ（ＲＲ）法、Ｐｒｏｐｏｒｔｉｏｎａｌ  Ｆａｉｒｎｅｓｓ（ＰＦ）法、Ｍａｘｉｍｕｍ  ＣＩＲ法等がある。ＲＲ法は、伝送路の状況などを考慮せずに各ユーザに対して順次リソースを割り当てる方式であり、リソース割り当ての時間的変動が大きくなりやすい方式である。ＰＦ法は、各ユーザの通信速度が揃うようにスケジューリングを行う方式であり、前記ＰＲ法に比べると、リソース割り当ての時間的変動が小さくなる。Ｍａｘｉｍｕｍ  ＣＩＲ法は、ＣＩＲ（Ｃａｒｒｉｅｒ  ｔｏ  Ｉｎｔｅｒｆｅｒｅｎｃｅ  Ｒａｔｉｏ）が最も良いユーザに優先的に割り当てる方式であり、前記ＰＲ法や前記ＰＦ法よりも、リソース割り当ての時間的変動が少なく、固定的割り当てに近くなる。
【００８６】
図８は、このようなスケジューリングアルゴリズムの種別についてのスケジューリングアルゴリズム情報を用いた、干渉抑制制御を示している。
ここでは、スケジューリングアルゴリズム情報を基地局情報として報知情報及び／又はページング情報に格納して、当該報知情報及び／又はページング情報を送信する基地局装置を、マクロ基地局装置１ａとする。そして、この基地局情報が格納された報知情報及び／又はページング情報を受信（傍受）して干渉抑制の制御を行う基地局装置を、フェムト基地局装置１ｂとする。
【００８７】
フェムト基地局装置１ｂは、マクロ基地局装置１ａが送信した報知情報及び／又はページング情報に格納されている基地局情報として、スケジューリングアルゴリズム情報を取得する（ステップＳ２１）。
続いて、フェムト基地局装置１ｂは、マクロセルにおけるリソース割り当ての時間的変動の判定のため、スケジューリングアルゴリズム情報に基づいて、マクロ基地局装置１ａにおけるスケジューリングアルゴリズムの種別を判定する（ステップＳ２２）。そして、前記ＲＲ法のように、リソース割り当ての予測性が非常に低く変動的割り当てであると判定された場合、使用通信周波数帯域全体の送信電力の上限値を抑制する制御を行う（ステップＳ２３）。これは、変動的割り当ての場合、リソース割り当ての変動が大きいため、マクロ基地局装置１ａのリソース割り当てに応じて、リソースブロック単位で干渉抑制の制御を行うことは困難であるが、送信電力を抑制することにより、マクロセルへの与干渉を抑制することができる。
【００８８】
一方、多少なりとも固定的割り当ての側面が認められるＭａｘｉｍｕｍ  ＣＩＲ法、ＳＰＳの場合には、マクロ基地局装置１ａが使用するリソースブロックを検出した上で（ステップＳ２４）、フェムト基地局装置１ｂでは、スケジューリング部２６によって、マクロ基地局装置１ａのアルゴリズムに応じたアルゴリズムでフェムト基地局装置１ｂにおけるスケジューリングを行う（ステップＳ２５）。なお、リソースブロックの検出は、マクロ基地局装置１ａにおけるリソース割り当て情報を、当該マクロ基地局装置１ａの下り信号の中から読み取ることで行える。
【００８９】
このステップＳ２５では、例えば、マクロ基地局装置１ａのアルゴリズムがＳＰＳの場合には、マクロセルにおいて使用されるリソースブロックが、所定の期間において固定されるため、フェムト基地局装置１ｂでは、それ以外のリソースブロックをＳＰＳで固定的に割り当てを行う。つまり、マクロセルにおける未使用リソースブロックを、フェムトセルにおける通信に使用しても、マクロセルに対して干渉を与えることはない。
このように、フェムト基地局装置１ｂは、マクロ基地局装置１ａのスケジューリングアルゴリズムの種別が把握できれば、送信電力（の上限値）や使用するリソースブロックを適宜調整することで、マクロ基地局装置１ａへの与干渉を抑制することができる。
【００９０】
基地局情報が、Ｌｏｃａｌｉｚｅｄ／Ｄｉｓｔｒｉｂｕｔｅｄ情報である場合について説明する。
Ｌｏｃａｌｉｚｅｄ／Ｄｉｓｔｒｉｂｕｔｅｄ情報は、無線リソース割り当て方式が固定的割り当てであるＬｏｃａｌｉｚｅｄ  ＦＤＭＡ（Ｌｏｃａｌｉｚｅｄ配置）であるか変動的割り当てであるＤｉｓｉｔｒｉｂｕｔｅｄ  ＦＤＭＡ（Ｄｉｓｉｔｒｉｂｕｔｅｄ配置）であるかを示す情報である。
【００９１】
図９は、Ｌｏｃａｌｉｚｅｄ／Ｄｉｓｔｒｉｂｕｔｅｄ情報を用いた、干渉抑制制御を示している。
まず、フェムト基地局装置１ｂは、マクロ基地局装置１ａが送信した報知情報及び／又はページング情報に格納されている基地局情報として、Ｌｏｃａｌｉｚｅｄ／Ｄｉｓｔｒｉｂｕｔｅｄ情報を取得する（ステップＳ３１）。
【００９２】
続いて、Ｌｏｃａｌｉｚｅｄ／Ｄｉｓｔｒｉｂｕｔｅｄ情報に基づいて、マクロセルにおける割り当て方式が、固定的なＬｏｃａｌｉｚｅｄ  ＦＤＭＡであるか、変動的なＤｉｓｔｒｉｂｕｔｅｄ  ＦＤＭＡであるかを判定する（ステップＳ３２）。ステップＳ１２において、Ｄｉｓｔｒｉｂｕｔｅｄ  ＦＤＭＡであると判定された場合、リソース割り当ての変動が大きいため、マクロ基地局装置１ａのリソース割り当てに応じて、リソースブロック単位で干渉抑制の制御を行うことは困難である。そこで、干渉抑制処理部３６が有する電力制御機能によって、使用通信帯域全体に亘って、送信電力の上限値を制限することよって他セルへの与干渉を抑制する（ステップＳ３３）。
【００９３】
一方、ステップＳ３２において、マクロ基地局装置１ａのリソース割り当て方式が、Ｌｏｃａｌｉｚｅｄ  ＦＤＭＡであると判定された場合、マクロセルにおいて使用されていない未使用リソースブロックを検出する（ステップＳ３４）。
続いて、フェムト基地局装置１ｂは、フェムトセルにおけるリソース割り当ても、Ｌｏｃａｌｉｚｅｄ  ＦＤＭＡで行うように、スケジューリング部２６を制御する（ステップＳ３５）。この場合、マクロセルにおける未使用リソースブロックがフェムトセルにおいて固定的に使用される。マクロセルにおけるリソース割り当てが固定的であるのに対応して、フェムトセルも別のリソースブロックを固定的に使用することで、干渉を効率的に回避することができる。
【００９４】
基地局情報が、前記送信電力を示す情報である場合について説明する。
フェムト基地局装置１ｂは、マクロ基地局装置１ａが送信した報知情報及び／又はページング情報に格納されている基地局情報として、送信電力を示す情報を取得する。この情報によれば、マクロ基地局装置１ａによる送信電力の大きさを、フェムト基地局装置１ｂは検出することができる。このため、フェムト基地局装置１ｂでは、検出した送信電力と閾値とを比較し、検出した送信電力の大きさが閾値を超えている場合、干渉が起こりやすいため、フェムト基地局装置１ｂは、前記置局判定制御と同じ処理を行い、干渉の発生を抑制しようとする。
【００９５】
また、基地局情報が、前記アンテナ数についての情報である場合について説明する。
フェムト基地局装置１ｂは、マクロ基地局装置１ａが送信した報知情報及び／又はページング情報に格納されている基地局情報として、アンテナ数についての情報を取得する。この情報によれば、マクロ基地局装置１ａのアンテナ性能を、フェムト基地局装置１ｂは検出することができる。このため、フェムト基地局装置１ｂでは、検出したアンテナ数（アンテナ性能）が少ない（低い）場合、マクロ基地局装置１ａでは高度な無線通信が困難となるため、干渉を抑制する機能も低いと考えられる。このため、フェムト基地局装置１ｂは送信電力の上限値を制限する制御を行い、干渉を抑制する。
【００９６】
以上のように、本発明によれば、基地局装置が端末装置に送信する報知情報及び／又はページング情報を、他の無線通信装置が受信すれば、当該報知情報及び／又はページング情報に格納されている基地局情報（位置情報等）を取得することができ、当該他の無線通信装置は、当該基地局情報を用いて干渉を抑制する処理を実行することができる。このため、基地局装置（例えばフェムト基地局装置）を新たに設置する場合であっても、当該基地局装置が自己の基地局情報（位置情報等）を報知情報及び／又はページング情報に格納して送信することで、自己のセル及び他のセルにおける無線通信で生じる干渉を抑えることが可能となる。
【００９７】
なお、前記実施形態では、位置情報を送信する側の基地局装置が有している位置情報取得部をＧＰＳ受信機として説明したが、位置情報を送信する基地局装置は、その他の手段によって自己の位置情報を取得してもよい。例えば、基地局装置と通信する端末装置がＧＰＳ受信機を備えている場合、当該端末装置を当該基地局装置の近傍に位置させ、端末装置が自己の位置を計測する。端末装置は、取得した位置情報を基地局装置へ無線通信によって送信する。基地局装置がこの位置情報を取得すると、基地局装置の位置情報取得部は、この端末装置の位置情報（位置）を、自己の位置情報（位置）とみなす処理を実行する。この手段によれば、基地局装置は、ＧＰＳ受信機を有していなくても、自己の位置情報を取得することが可能となる。
【００９８】
前記実施形態では、基地局情報（位置情報）を送信する基地局装置を、フェムト基地局装置１ｂとして説明した。
しかし、基地局情報（位置情報）を送信する基地局装置は、マクロ基地局装置１ａであってもよく、この場合、マクロ基地局装置１ａが自己の位置に関する位置情報等を報知情報及び／又はページング情報に格納する。
また、基地局情報としての、スケジューリングアルゴリズム情報や、Ｌｏｃａｌｉｚｅｄ／Ｄｉｓｔｒｉｂｕｔｅｄ情報については、マクロ基地局装置１ａが報知情報及び／又はページング情報に格納して送信してもよく、フェムト基地局装置１ｂが報知情報及び／又はページング情報に格納して送信してもよい。
【００９９】
今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【０１００】
１：基地局装置、  １ａ：マクロ基地局装置、  １ｂ：フェムト基地局装置、  ２：端末装置、  ２ａ：マクロ端末装置、  ２ｂ：フェムト端末装置、  ４：送受信部（送信部）、  ５：信号処理部、  ３１：情報格納部、  ３２：位置情報取得部、  ３５：分離処理部、  ３６：干渉抑制処理部、  １０４：受信側基地局装置の送受信部（送信部）、  １０５：受信側基地局装置の信号処理部、  １３１：受信側基地局装置の情報格納部、  １３２：受信側基地局装置の位置情報取得部、  １３５：受信側基地局装置の分離処理部、  １３６：受信側基地局装置の干渉抑制処理部、  ４２：端末装置の送受信部（受信部）、  ４４：端末装置の信号処理部、  ４５：端末装置の分離処理部、  ４６：端末位置情報取得部
【図１】
2011118242.tif 000003
【図２】
2011118242.tif 000004
【図３】
2011118242.tif 000005
【図４】
2011118242.tif 000006
【図５】
2011118242.tif 000007
【図６】
2011118242.tif 000008
【図７】
2011118242.tif 000009
【図８】
2011118242.tif 000010
【図９】
2011118242.tif 000011
【図１０】
2011118242.tif 000012
【図１１】
2011118242.tif 000013
【図１２】
2011118242.tif 000014
【図１３】
2011118242.tif 000015
【国際調査報告】
2011118242.tif 000016
2011118242.tif 000017